(57)【要約】【課題】防振性能を残しつつ、耐震性能を発揮することができる天井ブレース連結構造を提供する。【解決手段】天井下地材５または吊りボルト１側に設けられるブラケット２２と、ブラケット２２と天井ブレース２１の先端部との間に介設される弾性部材２４と、ブラケット２２と天井ブレース２１の先端部と弾性部材２４とに挿通する挿通部材（ボルト２５ａ）を有し、これらを一体的に締め付けて固定するための締付手段２５とを備えており、ブラケット２２および天井ブレース２１の先端部のいずれか一方には、挿通部材２５ａよりも大径であって挿通部材２５ａが挿通する大径挿通孔３１が形成され、弾性部材２４には、大径挿通孔３１よりも小径であって挿通部材２５ａが挿通する弾性挿通孔３２が形成され、ブラケット１１および天井ブレース２１の先端部のいずれか他方には、挿通部材２５ａと同径であって挿通部材２５ａが挿通する同径挿通孔３０が形成されている。【選択図】図１
2010024625.tif 000002
【特許請求の範囲】
【請求項１】
天井裏で格子状に組み付けられる天井下地材とこの天井下地材を吊り下げる吊りボルトの上端側との間に架け渡される天井ブレースを、前記天井下地材または前記吊りボルトに連結する構造において、
前記天井下地材または前記吊りボルト側に設けられるブラケットと、
前記ブラケットと天井ブレースの先端部との間に介設される弾性部材と、
前記ブラケットと前記天井ブレースの先端部と前記弾性部材とに挿通する挿通部材を有し、これらを一体的に締め付けて固定するための締付手段とを備えており、
前記ブラケットおよび前記天井ブレースの先端部のいずれか一方には、前記挿通部材よりも大径であって前記挿通部材が挿通する大径挿通孔が形成され、
前記弾性部材には、前記大径挿通孔よりも小径であって前記挿通部材が挿通する弾性挿通孔が形成され、
前記ブラケットおよび前記天井ブレースの先端部のいずれか他方には、前記挿通部材と同径であって前記挿通部材が挿通する同径挿通孔が形成されている
ことを特徴とする天井ブレース連結構造。
【請求項２】
前記弾性挿通孔は、軸方向に向かうに連れて孔径が拡径するテーパ状に形成されている
ことを特徴とする請求項１に記載の天井ブレース連結構造。
【請求項３】
前記大径挿通孔、前記弾性挿通孔および前記同径挿通孔が互いに同芯状に並ぶように、前記ブラケット、前記弾性部材および前記天井ブレースの先端部が配置されている
ことを特徴とする請求項１または請求項２に記載の天井ブレース連結構造。
【請求項４】
前記弾性部材は、前記天井ブレースの先端部の表面に接着されている
ことを特徴とする請求項１乃至請求項３のいずれか１項に記載の天井ブレース連結構造。
【発明の詳細な説明】
【技術分野】
【０００１】
本発明は、天井裏で格子状に組み付けられる天井下地材とこの天井下地材を吊り下げる吊りボルトの上端側との間に架け渡される天井ブレースを、前記天井下地材または前記吊りボルトに連結する天井ブレースの連結構造に関する。
【背景技術】
【０００２】
列車が通過する線路が敷設された高架の下部に設けられる居室等の、振動が多く発生する場所における天井では、天井下地材を吊り下げる吊りボルトの途中に防振ハンガーと呼ばれる防振部材を介設して、躯体に発生する振動が、天井仕上材に直接伝わらないように構成されている。防振ハンガーは、例えば特許文献１に示すように、矩形の枠部材の上部と下部にそれぞれ防振ゴムが取り付けられており、上下方向に分割された吊りボルトを各防振ゴムにそれぞれ固定して、躯体からの振動を防振ゴムで吸収することで、天井仕上材に振動が伝わるのを抑制している。
【０００３】
前記構成の防振ハンガーは、長期の鉛直方向の荷重を支持することができるので、優れた防振性能を発揮できるものの、地震などにより発生する短期の水平方向の力に対抗することができないので、耐震性能を発揮することができない。そのため、このような天井構造では、躯体付近と天井仕上材付近とを結ぶ天井ブレースを設置することによって、水平方向の力を支持して耐震性能を得るように構成されている。
【特許文献１】特開２００２−１７４２９６号公報
【発明の開示】
【発明が解決しようとする課題】
【０００４】
しかしながら、前記のような天井構造では、天井ブレースを設置することにより、躯体と天井仕上材とが剛に連結されることとなり、躯体からの振動が天井仕上材に伝播して、天井仕上材から音が発生したり、耐久性が低下したりするといった問題があり、防振ハンガーの防振機能が亡失されていた。
【０００５】
そこで、本発明は、前記の問題を解決するためになされたものであり、防振性能を残しつつ、耐震性能を発揮することができる天井ブレース連結構造を提供することを課題とする。
【課題を解決するための手段】
【０００６】
前記課題を解決するための請求項１に係る発明は、天井裏で格子状に組み付けられる天井下地材とこの天井下地材を吊り下げる吊りボルトの上端側との間に架け渡される天井ブレースを、前記天井下地材または前記吊りボルトに連結する構造において、前記天井下地材または前記吊りボルト側に設けられるブラケットと、前記ブラケットと天井ブレースの先端部との間に介設される弾性部材と、前記ブラケットと前記天井ブレースの先端部と前記弾性部材とに挿通する挿通部材を有し、これらを一体的に締め付けて固定するための締付手段とを備えており、前記ブラケットおよび前記天井ブレースの先端部のいずれか一方には、前記挿通部材よりも大径であって前記挿通部材が挿通する大径挿通孔が形成され、前記弾性部材には、前記大径挿通孔よりも小径であって前記挿通部材が挿通する弾性挿通孔が形成され、前記ブラケットおよび前記天井ブレースの先端部のいずれか他方には、前記挿通部材と同径であって前記挿通部材が挿通する同径挿通孔が形成されていることを特徴とする天井ブレース連結構造である。
【０００７】
このような構成によれば、天井ブレースと天井下地材とは剛接合されておらず、大径挿通孔と同径挿通孔の径寸法の差分、弾性部材を変形させながら相対移動することができるので、防振性能を発揮することができる。一方、短期の水平方向の力に対しては、天井ブレースは天井下地材に対して相対移動するときに、挿通部材が大径挿通孔に当接することでそれ以上の相対移動が規制されるので、吊りボルトや天井下地材の変形を防止でき、耐震性能を発揮することができる。すなわち、かかる天井ブレース連結構造によれば、大径挿通孔と同径挿通孔の径寸法の差分内では弾性部材を介して振動が吸収されて防振性能が発揮され、一方、天井ブレースと天井下地材が大径挿通孔と同径挿通孔の径寸法の差分まで相対移動するとそれ以上の相対移動は規制されて応力が伝達されて耐震性能を発揮できる。
【０００８】
請求項２に係る発明は、前記弾性挿通孔が、軸方向に向かうに連れて孔径が拡径するテーパ状に形成されていることを特徴とする請求項１に記載の天井ブレース連結構造である。
【０００９】
このような構成によれば、躯体への振動が小さく天井ブレースと天井下地材との相対移動量が少ないときには、挿通部材に対抗する弾性部材の断面積が小さく、小さい復元力で振動が吸収される。一方、躯体への振動が大きくなり天井ブレースと天井下地材との相対移動量が大きくなるに連れて、挿通部材に対抗する弾性部材の断面積が徐々に大きくなり、大きい復元力で振動を吸収することができる。すなわち、振動が小さいときには小さい復元力で対抗し、振動が大きくなると大きい復元力で対抗することで、効率的に防振を行うことができる。
【００１０】
請求項３に係る発明は、前記大径挿通孔、前記弾性挿通孔および前記同径挿通孔が互いに同芯状に並ぶように、前記ブラケット、前記弾性部材および前記天井ブレースの先端部が配置されていることを特徴とする請求項１または請求項２に記載の天井ブレース連結構造である。
【００１１】
このような構成によれば、天井ブレースと天井下地材とは、上下左右いずれの方向にも相対移動可能となり、どの方向の力にも対応することができる。
【００１２】
請求項４に係る発明は、前記弾性部材が、前記天井ブレースの先端部の表面に接着されていることを特徴とする請求項１乃至請求項３のいずれか１項に記載の天井ブレース連結構造である。
【００１３】
このような構成によれば、施工時の弾性部材の位置決めを容易に行えるとともに、天井ブレースと弾性部材の接合性を高めることで、弾性部材のずれを防止している。
【発明の効果】
【００１４】
本発明に係る天井ブレース連結構造によれば、防振性能を残しつつ、耐震性能を発揮することができるといった優れた効果を発揮する。
【発明を実施するための最良の形態】
【００１５】
本発明に係る天井ブレース連結構造を実施するための最良の実施の形態について図面を参照して詳細に説明する。
【００１６】
図１は、本発明に係る天井ブレース連結構造を示した分解斜視図である。図２は、本発明に係る天井ブレース連結構造を示した側面図である。図３は、本発明に係る天井ブレース連結構造を示した断面図（図２のＡ−Ａ線断面図）である。図４は、本発明に係る天井ブレース連結構造を示した平面図である。図５は、天井ブレースと天井下地材とが相対移動した状態を示した側面図である。図６は、本発明に係る天井ブレース連結構造を採用した天井構造を示した側面図である。
【００１７】
まず、本発明に係る天井ブレース連結構造が採用された天井構造について説明する。図６に示すように、上方の天井スラブ２には、吊りボルト１が所定の間隔をあけて吊るされており、その吊りボルト１の下端で公知の固定金具３（固定ハンガー）を介して天井下地材５を支持するようになっている。天井下地材５は、例えばアルミニウム製の押出形材によって構成されており、格子状に組み付けられている。天井下地材５の下部には、天井仕上材６が固定されている。
【００１８】
吊りボルト１は、上下方向に二つに分割されており、その間には防振ハンガー１０が介設されている。防振ハンガー１０は、矩形の枠部材１１の上部と下部にそれぞれ防振ゴム１２，１３が取り付けられており、各防振ゴム１２，１３に、分割された上下の吊りボルト１ａ，１ｂがそれぞれ固定されている。これによって、天井スラブ２に繋がる上側の吊りボルト１ａと、天井下地材５に繋がる下側の吊りボルト１ｂとが構造的に分割されることとなり、躯体である天井スラブ２に発生した振動が防振ゴム１２，１３で吸収されて、天井仕上材６に振動が伝わるのが抑制される。
【００１９】
天井下地材５と吊りボルト１の上端側との間には、天井ブレース２１が斜めに架け渡されて設けられている。本実施形態では、本発明に係る天井ブレース連結構造２０は、天井ブレース２１の下端部と天井下地材５との連結部分に採用されている。なお、本実施形態では、天井ブレース２１と天井下地材５とが連結されているが、これに限定されるものではなく、天井下地材５の上部にブレース受部材を別体で固定し、このブレース受部材と天井ブレース２１とを、かかる天井ブレース連結構造２０によって連結するようにしてもよい。
【００２０】
天井ブレース２１は、例えばリップ付Ｃ型チャンネルにて構成されている。天井ブレース２１の上端部は、公知のブレース取付金具１５を介して吊りボルト１の上端部に固定されている。ブレース取付金具１５は、吊りボルト１に係止されたプレート部１６に、天井ブレース２１から延びるボルト１７を螺合させることで、吊りボルト１の上端部に天井ブレース２１を接合している。
【００２１】
本実施形態に係る天井ブレース連結構造２０は、図１および図２に示すように、天井下地材５に設けられる第一ブラケット２２と、天井ブレース２１の先端に設けられる第二ブラケット２３と、第一ブラケット２２と第二ブラケット２３（請求項における天井ブレース２１の先端部に相当）との間に介設される弾性部材２４と、第一ブラケット２２と第二ブラケット２３と弾性部材２４とを一体的に締め付けて固定するための締付手段２５とを備えている。さらに、第一ブラケット２２には、当該第一ブラケット２２に一体化して固定され、第二ブラケット２３と弾性部材２４を挟み込むための第三ブラケット２６が取り付けられている。
【００２２】
締付手段２５は、例えばボルト２５ａおよびナット２５ｂにて構成されており、ボルト２５ａが、第一ブラケット２２、第二ブラケット２３、弾性部材２４および第三ブラケット２６に挿通される挿通部材を構成している。
【００２３】
第一ブラケット２２は、例えばアルミニウム製のプレートにて構成されており、天井下地材５にビス２７ｃ等の固定手段を介して固定されている。第一ブラケット２２は、下側が天井下地材５との接合部２２ａを構成し、上側が上方に突出して天井ブレース２１との連結部２２ｂを構成している。第一ブラケット２２の上側の連結部２２ｂには、挿通部材であるボルト２５ａの軸径と同径であってボルト２５ａが挿通する同径挿通孔３０が形成されている。また、この連結部２２ｂには、第三ブラケット２６を固定するためのボルト２７ａが挿通する挿通孔２８が形成されている。
【００２４】
第二ブラケット２３は、例えばアルミニウム製のプレートにて構成されており、天井ブレース２１の下端部の側面に、ビス２７ｃ等の固定手段を介して固定されている。なお、本実施形態では、第二ブラケット２３は、プレートを二枚重ね合わせて構成されているが、これに限定されるものではなく、一枚の厚いプレートにて構成してもよいのは勿論である。第二ブラケット２３は、その先端が、天井ブレース２１の先端からその軸方向先方に突出するように取り付けられている。第二ブラケット２３の先端部（天井ブレース２１の先端部）には、ボルト２５ａの軸径よりも大径であってボルト２５ａが挿通する大径挿通孔３１が形成されている。
【００２５】
弾性部材２４は、所定の厚さの円盤状を呈しており、例えば硬度６０度の天然ゴムにて形成されている。弾性部材２４には、大径挿通孔３１よりも小径であってボルト２５ａが挿通する弾性挿通孔３２が形成されている。弾性挿通孔３２は、弾性部材２４の中心部に位置し、厚さ方向に貫通して形成されている。弾性挿通孔３２は、軸方向（弾性部材２４の厚さ方向）に向かうに連れて孔径が拡径するテーパ状に形成されている。弾性挿通孔３２の小径部３２ａは、ボルト２５ａと同径に形成され、大径部３２ｂは、大径挿通孔３１と同径に形成されている。本実施形態では、小径部３２ａが第二ブラケット２３側になるように、弾性部材２４が配置されている。
【００２６】
弾性部材２４は、二つ設けられており、第二ブラケット２３の両面にそれぞれ接着されて固定されている。弾性部材２４は、弾性挿通孔３２と第二ブラケット２３の大径挿通孔３１が互いに同芯状に並ぶように、第二ブラケット２３に固定されている。
【００２７】
第三ブラケット２６は、例えばアルミニウム製のプレートにて構成されており、平面視Ｚ字状に形成されている。第三ブラケット２６は、第一ブラケット２２と当接する当接部２６ａと、この当接部２６ａからオフセットして配置された挟持部２６ｂとを有している。挟持部２６ｂは、二つの弾性部材２４，２４と第二ブラケット２３の厚さ分より僅かに短い寸法でオフセットしており、第一ブラケット２２と合わせて、弾性部材２４，２４と第二ブラケット２３を挟み込むようになっている。
【００２８】
当接部２６ａには、第一ブラケット２２と第三ブラケット２６を固定するためのボルト２７ａが挿通する挿通孔２９が形成されている。挟持部２６ｂには、挿通部材であるボルト２５ａの軸径と同径であってボルト２５ａが挿通する同径挿通孔３３が形成されている。図３および図４に示すように、この同径挿通孔３３は、第一ブラケット２２に形成された同径挿通孔３０と同等の形状であって、同径挿通孔３０、大径挿通孔３１および弾性挿通孔３２，３２と、互いに同芯状に並ぶように構成されている。
【００２９】
同径挿通孔３０，３３、大径挿通孔３１および弾性挿通孔３２，３２には、ボルト２５ａが挿通され、ナット２５ｂによって締め付けられている。これによって、弾性部材２４，２４が圧縮された状態で、第一ブラケット２２と第三ブラケット２６間で挟持されることとなる。
【００３０】
次に、前記構成の天井ブレース連結構造２０の施工手順を説明する。
【００３１】
図１に示すように、まず、天井ブレース２１の先端に、ビス２７ｃを用いて第二ブラケット２３を固定する。この工程と前後して、第二ブラケット２３の両面に、弾性部材２４を接着しておく。このとき、弾性部材２４の弾性挿通孔３２と第二ブラケット２３の大径挿通孔３１が互いに同芯状に並ぶ（図３及び図４参照）ように、弾性部材２４を第二ブラケット２３に固定する。このように、弾性部材２４を、第二ブラケット２３に接着することで、弾性挿通孔３２と大径挿通孔３１との位置関係が固定され、容易に位置決めがなされる。また、天井下地材５の所定位置に、ビス２７ｃを用いて第一ブラケット２２を固定しておく。
【００３２】
その後、天井ブレース２１の先端部の第二ブラケット２３の大径挿通孔３１が、第一ブラケット２２の同径挿通孔３０と同芯状に並ぶように、天井ブレース２１を配置する。そして、第二ブラケット２３および弾性部材２４，２４を挟み込むように、第三ブラケット２６を配置して、ボルト２７ａおよびナット２７ｂを用いて、第三ブラケット２６を第一ブラケット２２に固定する。
【００３３】
そして、ボルト２５ａを、第三ブラケット２６の同径挿通孔３３、弾性部材２４の弾性挿通孔３２、第二ブラケット２３の大径挿通孔３１、弾性部材２４の弾性挿通孔３２および第一ブラケット２２の同径挿通孔３０に挿通させて、ナット２５ｂで締め付ける。このとき、弾性部材２４，２４は第二ブラケット２３に接着されて、弾性挿通孔３２，３２と大径挿通孔３１は同芯状の状態を保持しているので、ボルト２５ａを各挿通孔３３，３２，３１，３２，３０に挿通させるだけで、これらが全て同芯状に並ぶこととなる。また、ナット２５ｂでボルト２５ａを締め付けることによって、弾性部材２４が圧縮された状態で、挟持される。これによって、弾性部材２４は、第一ブラケット２２および第三ブラケット２６に対しても、表面摩擦力を持って固定されることとなる。
【００３４】
以上の工程で形成された天井ブレース連結構造２０によれば、天井ブレース２１と天井下地材５とは剛接合されておらず、大径挿通孔３１と同径挿通孔３０，３３の径寸法の差分の範囲内で、弾性部材２４を変形させながら相対移動することができるので、防振性能を発揮することができる。具体的には、列車の走行等の要因によって躯体に発生する軽微な振動に対しては、躯体（天井スラブ２）からの振動が小さいので、天井ブレース２１と天井下地材５との相対移動量が少なく、ボルト２５ａは、大径挿通孔３１の内周面に干渉することなく、相対移動する。このとき、ボルト２５ａは、大径挿通孔３１と同径挿通孔３０，３３の径寸法の差分の範囲内で、弾性部材２４の弾性挿通孔３２の内周面を押し広げるように相対移動するので、弾性部材２４は、その復元力によってボルト２５ａを元の位置に戻そうとする。また、弾性部材２４は、第二ブラケット２３の接合面と第一ブラケット２２（第三ブラケット２６）の接合面とが互いにずれることによって、厚さ方向とは直交する方向に引っ張られて断面平行四辺形状に変形するので、この変形に対する復元力も発生する。これによって、振動が弾性部材２４に吸収され、防振性能が発揮される。
【００３５】
特に、弾性挿通孔３２がテーパ状に形成されているので、振動が小さく相対移動量が小さいときは、ボルト２５ａに対抗する弾性部材２４の断面積が小さく、小さい復元力で振動が吸収される。一方、振動が大きく相対移動量が大きくなるときは、ボルト２５ａに対抗する弾性部材２４の断面積が大きくなるので、大きい復元力で振動が吸収される。このように、振動量に応じて復元力が自動的に調節され、効率的に防振を行うことができる。
【００３６】
また、本実施形態に係る天井ブレース連結構造２０によれば、第三ブラケット２６の同径挿通孔３３、弾性部材２４の弾性挿通孔３２、第二ブラケット２３の大径挿通孔３１、弾性部材２４の弾性挿通孔３２および第一ブラケット２２の同径挿通孔３０が同芯状に並ぶように構成されているので、ボルト２５ａは、大径挿通孔３１の内周面全周から一定距離離反した場所に位置することとなる。したがって、ボルト２５ａが、弾性部材２４に対して上下左右いずれの方向にも相対移動可能となり、どの方向の振動に対しても弾性部材２４の復元力が得られ、防振性能を発揮することができる。
【００３７】
さらに、かかる天井ブレース連結構造２０によれば、耐震性能も発揮することができる。具体的には、図５に示すように、地震等によって躯体（天井スラブ２）に水平方向の力がかかったとき（図５では右側への力がかかった場合を例示している）に、天井ブレース２１が、天井下地材５に対して水平方向に相対移動（図５では右側へ移動）する。このとき、ボルト２５ａは天井下地材５に対して位置が変わらず、天井ブレース２１の大径挿通孔３１が、ボルト２５ａに対して図５中、右側へ相対移動することになる。そして、弾性部材２４は、ボルト２５ａの側面によって側方に押し広げられながら、第二ブラケット２３とともに、右側へ相対移動する。ここで、弾性挿通孔３２は、テーパ状に形成されているので、天井ブレース２１の相対移動量が大きくなるに連れて、ボルト２５ａの押圧力に対抗する弾性部材２４の断面積が徐々に大きくなり、水平方向の力をその大きさに応じた復元力で効率的に吸収できる。
【００３８】
躯体にかかる水平方向の力が小さい場合には、弾性部材２４の弾性力によって水平方向の力が吸収される。一方、躯体にかかる水平方向の力が大きい場合には、弾性部材２４の変形では吸収しきれずに、図５に示すように、天井下地材５と一体的に固定されたボルト２５ａが、第二ブラケット２３の大径挿通孔３１の内周面に当接する。これによって、天井ブレース２１と天井下地材５との相対移動が規制され、逆側の水平方向の力が加わるまでは、天井ブレース２１と天井下地材５とが一体的に移動する。すなわち、天井ブレース２１と天井下地材５とは、大径挿通孔３１と同径挿通孔３０の径寸法の差分以上は相対移動しないので、吊りボルト１、天井下地材５や天井ブレース２１等の変形を防止することができるとともに、天井下地材５と壁面（図示せず）との干渉を防止することができ、耐震性能を発揮できる。
【００３９】
次に、本発明に係る天井ブレース連結構造２０を採用した天井構造を用いて行った耐震性能試験および防振性能試験について説明する。
【００４０】
（耐震性能試験）
耐震性能試験は、在来鋼製天井下地材を用いて形成した２１００ｍｍ×２７００ｍｍの天井に防振ハンガーを設けた従来型試験体（天井ブレースなし）と、前記天井に防振ハンガーを設けるとともに本発明に係る天井ブレース連結構造を採用して天井ブレースを連結した本発明型試験体と、前記天井に防振ハンガーを設けるとともに前記天井ブレース連結構造から弾性部材を取り除いた連結構造を採用して天井ブレースを連結した剛接合型試験体とを用いて、静的水平加力実験をすることによって行った。
【００４１】
天井下地材は、ＪＩＳ１９形を使用し、野縁を長手方向（２７００ｍｍ方向）に沿うように配置し３００ｍｍピッチで並列している。野縁の上には、その直交方向に沿うように野縁受けを配置し９００ｍｍピッチで並列している。各野縁受けには、９００ｍｍピッチで長さ１５００ｍｍの吊りボルトが接続されている。野縁の下には、働き幅１０５ｍｍのアルミニウム製スパンドレル（０．８ｍｍ）からなる天井仕上材を、ネジ径３ｍｍのビスにより固定している。
【００４２】
吊りボルトの中間部に介設された防振ハンガーは、昭和電線デバイステクノロジー社製のＭＳＦ−３０−Ｓを用いた。また、天井ブレース連結構造および天井ブレースは、前記実施形態と同等の構成のものを採用した。
【００４３】
水平加力は、油圧シリンダに接続したＣ型鋼を天井仕上材の４点に固定し、油圧シリンダを作動させることで、天井仕上材の４点に一様に加力した。加力方向は、野縁の長手方向とした。加力の荷重レベルはロードセルを用いて測定し、天井面の変位は、天井仕上材の端部に設置した変位計によって測定した。
【００４４】
従来型試験体では、図７に示すように、加力荷重が５０Ｎで変位が約５０ｍｍ、加力荷重が１００Ｎで変位が約１００ｍｍとなっており、小さい加力で非常に大きい変位が発生することが判った。
【００４５】
図８に示すように、本発明型試験体では、最大耐力３４６５Ｎのときの変位が約２８ｍｍ（図８中、グラフＬ１参照）であり、また、剛接合型試験体では、最大耐力３５３７Ｎのときの変位が約３０ｍｍ（図８中、グラフＬ２参照）であり、従来型試験体と比較して、非常に大きい加力でも、変位を小さく抑えられ、防振性能が非常に高くなっていることがわかった。これは、天井ブレースを設けたことが大きく寄与していると考えられる。
【００４６】
ここで、本発明型試験体と剛接合型試験体とを比較すると、最大耐力と変位に殆んど差は見られず、弾性部材を設けても、防振性能が低下していないことが判った。これは、図５に示すように、かかる天井ブレース連結構造２０では、天井ブレース２１と天井下地材５との相対移動範囲が、第二ブラケット２３に形成された大径挿通孔３１と同径挿通孔３０，３３の径寸法の差分内に制限されており、ボルト２５ａが大径挿通孔３１に当接すると、天井ブレース２１と天井下地材５は一体化されるので、天井ブレース２１に応力が伝達されるからであると考えられる。
【００４７】
（防振性能試験）
防振性能試験は、下記の表１（防振性能試験における試験体Ａ〜Ｃの仕様を示した表）に示した各試験体を、列車が通過する線路が敷設された高架の下部の居室の天井スラブに設けて、各種列車の通過、停車、発車時における振動測定を行った。振動測定は、各試験体の天井スラブと天井仕上材（天井面）にそれぞれ振動ピックアップ装置を設置して、データレコーダーを用いて信号を録音した。
【００４８】
【表１】
2010024625.tif 000003
【００４９】
表１に示すように、試験体Ａは、天井スラブから吊りボルトを用いて測定用天井面が吊り下げられている。吊りボルトには、防振ハンガー（昭和電線デバイステクノロジー社製のＭＳＦ−３０−Ｄ）が介設されている。試験体Ａには、天井ブレースは設けられていない。試験体Ｂは、試験体Ａに天井ブレースを設け、前記実施形態と同様の天井ブレース連結構造（弾性部材に、硬度６０度で厚さ４ｍｍの天然ゴムを２枚使用）によって、天井ブレースを天井下地材に連結している。試験体Ｃは、試験体Ａに天井ブレースを設け天井ブレースと天井下地材とを剛接合している。
【００５０】
下記の表２に防振性能試験における試験体Ａ〜Ｃの振動レベルと効果を示す。
【００５１】
【表２】
2010024625.tif 000004
【００５２】
表２に示すように、試験体Ａでは、天井面での振動レベルを天井スラブでの振動レベルで割った数値（効果）が、車両の通過時には０．６〜０．８８で、車両の停車、発車時には、０．５４〜０．８４であり、効果の数値を平均すると０．７であった。なお、表２中、振動のレベルの数値の単位はｇａｌである。
【００５３】
試験体Ｂでは、効果の数値が、車両の通過時には０．９３〜０．９５で、車両の停車、発車時には、０．７８〜１．１７であり、効果の数値を平均すると１．０１であった。
【００５４】
試験体Ｃでは、効果の数値が、車両の通過時には１．８２〜２．９７で、車両の停車、発車時には、１．３４〜２．７９であり、効果の数値を平均すると２．１６であった。
【００５５】
以上のように、天井ブレースのない従来型の防振天井である試験体Ａでは、効果が０．７と最良の結果を示し、本発明に係る天井ブレース連結構造である試験体Ｂでは、１．０１倍の増幅率で、天井ブレースを剛接合した試験体Ｃでは、２倍以上の増幅率となっている。すなわち、本発明に係る天井ブレース連結構造によれば、防振性能に特化した天井ブレースのない防振天井と比較すると、防振性能は若干劣るものの、天井ブレースを設けた通常の天井と比較すると、防振性能が非常に高くなっていることが判った。
【００５６】
以上、本発明を実施するための形態についてそれぞれ説明したが、本発明は前記の実施形態に限定されず、本発明の趣旨を逸脱しない範囲で、材質、形状や大きさなど適宜設計変更が可能である。例えば、前記実施形態では、かかる天井ブレース連結構造２０を、天井ブレース２１と天井下地材５との連結部分に採用しているが、天井ブレース２１と吊りボルト１の上端部との連結部分に採用してもよい。
【００５７】
また、前記実施形態では、天井ブレース２１の先端に第二ブラケット２３を固定して、この第二ブラケット２３に大径挿通孔３１を形成しているが、第二ブラケットを設けずに、天井ブレース２１の先端部に大径挿通孔を直接形成するようにしてもよい。
【００５８】
さらに、前記実施形態では、天井ブレース２１の先端部の第二ブラケット２３に大径挿通孔３１を形成し、天井下地材５側の第一ブラケット２２および第三ブラケット２６に同径挿通孔３０，３３を形成しているが、第二ブラケットまたは天井ブレースの先端に同径挿通孔を形成し、第一ブラケットおよび第三ブラケットに大径挿通孔を形成してもよい。
【００５９】
また、前記実施形態では、弾性部材２４の弾性挿通孔３２をテーパ状に形成しているが、これに限定されるものではなく、内径が変化しない円柱状の孔であってもよい。この場合、ボルト２５ａの軸径と同径の内径とする。
【図面の簡単な説明】
【００６０】
【図１】本発明に係る天井ブレース連結構造を示した分解斜視図である。
【図２】本発明に係る天井ブレース連結構造を示した側面図である。
【図３】本発明に係る天井ブレース連結構造を示した断面図である。
【図４】本発明に係る天井ブレース連結構造を示した平面図である。
【図５】天井ブレースと天井下地材とが相対移動した状態を示した側面図である。
【図６】本発明に係る天井ブレース連結構造を採用した天井構造を示した側面図である。
【図７】耐震性能試験における従来型試験体の荷重と変位の関係を示したグラフである。
【図８】耐震性能試験における本発明型試験体と剛接合型試験体の荷重と変位の関係を示したグラフである。
【符号の説明】
【００６１】
１      吊りボルト
５      天井下地材
２０    天井ブレース連結構造
２１    天井ブレース
２２    第一ブラケット（ブラケット）
２４    弾性部材
２５    締付手段
２５ａ  ボルト（挿通部材）
３０    同径挿通孔
３１    大径挿通孔
３２    弾性挿通孔
３３    同径挿通孔
【図１】
2010024625.tif 000005
【図２】
2010024625.tif 000006
【図３】
2010024625.tif 000007
【図４】
2010024625.tif 000008
【図５】
2010024625.tif 000009
【図６】
2010024625.tif 000010
【図７】
2010024625.tif 000011
【図８】
2010024625.tif 000012